【手続補正書】
【提出日】平成20年6月16日(2008.6.16)
【手続補正１】
【補正対象書類名】明細書
【補正対象項目名】発明の名称
【補正方法】変更
【補正の内容】
【発明の名称】情報処理装置及び省電力移行制御方法
【手続補正２】
【補正対象書類名】明細書
【補正対象項目名】特許請求の範囲
【補正方法】変更
【補正の内容】
【特許請求の範囲】
【請求項１】  省電力モード移行命令の実行により通常動作モードから省電力モードへ移行する中央処理装置と、主記憶装置とを具備してなる情報処理装置であって、
前記中央処理装置が前記省電力モード移行命令をフェッチしたことを検出する検出手段と、
前記中央処理装置が前記主記憶装置の通常動作モードから省電力モードへの切り替えを許可した後、前記中央処理装置が前記省電力モード移行命令をフェッチしたことを前記検出手段が検出した場合に、前記主記憶装置を省電力モードに移行させる移行制御手段とを有することを特徴とする情報処理装置。
【請求項２】  前記移行制御手段は、実行中のメモリ転送が終了すると、前記主記憶装置を省電力モードに移行させることを特徴とする請求項１に記載の情報処理装置。
【請求項３】  省電力モード移行命令の実行により通常動作モードから省電力モードへ移行する中央処理装置と、主記憶装置とを具備してなる情報処理装置に適用される省電力移行制御方法であって、
前記中央処理装置が前記省電力モード移行命令をフェッチしたことを検出する検出工程と、
前記中央処理装置が前記主記憶装置の通常動作モードから省電力モードへの切り替えを許可した後、前記中央処理装置が前記省電力モード移行命令をフェッチしたことを前記検出工程で検出した場合に、前記主記憶装置を省電力モードに移行させる移行制御工程とを有することを特徴とする省電力移行制御方法。
【請求項４】  前記移行制御工程は、実行中のメモリ転送が終了すると、前記主記憶装置を省電力モードに移行させることを特徴とする請求項３に記載の省電力移行制御方法。 
【請求項５】  省電力モード移行命令の実行により通常動作モードから省電力モードへ移行する中央処理装置と、主記憶装置とを具備してなる情報処理装置であって、
前記主記憶装置を省電力モードへ移行するまでの時間を設定する時間設定手段と、
前記設定時間後に前記主記憶装置を省電力モードに移行するように制御する移行制御手段とを有し、
前記中央処理装置は、前記移行制御手段により前記主記憶装置が省電力モードに移行される前に、前記省電力モード移行命令を実行することを特徴とする情報処理装置。
【請求項６】  前記移行制御手段は、実行中のメモリ転送が終了すると、前記主記憶装置を省電力モードに移行させることを特徴とする請求項５に記載の情報処理装置。
【請求項７】  省電力モード移行命令の実行により通常動作モードから省電力モードへ移行する中央処理装置と、主記憶装置とを具備してなる情報処理装置に適用される省電力移行制御方法であって、
前記主記憶装置を省電力モードへ移行するまでの時間を設定する時間設定工程と、
前記設定時間後に前記主記憶装置を省電力モードに移行するように制御する移行制御工程と、
前記主記憶装置を前記移行制御工程で省電力モードに移行する前に、前記中央処理装置が前記省電力モード移行命令を実行する省電力モード移行命令実行工程とを有することを特徴とする省電力移行制御方法。
【請求項８】  前記移行制御工程は、実行中のメモリ転送が終了すると、前記主記憶装置を省電力モードに移行させることを特徴とする請求項７に記載の省電力移行制御方法。
【請求項９】  省電力モード移行命令の実行により通常動作モードから省電力モードへ移行する中央処理装置と、主記憶装置とを具備してなる情報処理装置であって、
前記中央処理装置が前記主記憶装置を通常動作モードから省電力モードに切り替えることを許可するための設定を行う設定手段と、
前記設定手段により前記主記憶装置を通常動作モードから省電力モードへ切り替えることが許可された後に前記中央処理装置が省電力モードに移行した場合、前記主記憶装置を省電力モードに移行するように制御する移行制御手段とを有することを特徴とする情報処理装置。
【請求項１０】  前記移行制御手段は、実行中のメモリ転送が終了すると、前記主記憶装置を省電力モードに移行させることを特徴とする請求項９に記載の情報処理装置。
【請求項１１】  省電力モード移行命令の実行により通常動作モードから省電力モードへ移行する中央処理装置と、主記憶装置とを具備してなる情報処理装置に適用される省電力移行制御方法であって、
前記中央処理装置が前記主記憶装置を通常動作モードから省電力モードに切り替えることを許可するための設定を行う設定工程と、
前記設定工程により前記主記憶装置を通常動作モードから省電力モードへ切り替えることが許可された後に前記中央処理装置が省電力モードに移行した場合、前記主記憶装置を省電力モードに移行するように制御する移行制御工程とを有することを特徴とする省電力移行制御方法。
【請求項１２】  前記移行制御工程は、実行中のメモリ転送が終了すると、前記主記憶装置を省電力モードに移行させることを特徴とする請求項１１に記載の省電力移行制御方法。
【手続補正３】
【補正対象書類名】明細書
【補正対象項目名】０００１
【補正方法】変更
【補正の内容】
【０００１】
【発明の属する技術分野】
本発明は、情報処理装置及び省電力移行制御方法に関する。
【手続補正４】
【補正対象書類名】明細書
【補正対象項目名】００１１
【補正方法】変更
【補正の内容】
【００１１】
本発明は、上述した点に鑑みなされたものであり、高価な専用のメモリを装備することなく且つ複雑なソフトウェアの処理を必要とすることなく、安価で高い割り込みパフォーマンスを持つ省電力型の情報処理装置を容易に構築可能とした情報処理装置及び省電力移行制御方法を提供することを目的とする。
【手続補正５】
【補正対象書類名】明細書
【補正対象項目名】００１２
【補正方法】変更
【補正の内容】
【００１２】
【課題を解決するための手段】
上記目的を達成するため、本発明は、省電力モード移行命令の実行により通常動作モードから省電力モードへ移行する中央処理装置と、主記憶装置とを具備してなる情報処理装置であって、前記中央処理装置が前記省電力モード移行命令をフェッチしたことを検出する検出手段と、前記中央処理装置が前記主記憶装置の通常動作モードから省電力モードへの切り替えを許可した後、前記中央処理装置が前記省電力モード移行命令をフェッチしたことを前記検出手段が検出した場合に、前記主記憶装置を省電力モードに移行させる移行制御手段とを有することを特徴とする。
【手続補正６】
【補正対象書類名】明細書
【補正対象項目名】００１３
【補正方法】変更
【補正の内容】
【００１３】
また、本発明は、省電力モード移行命令の実行により通常動作モードから省電力モードへ移行する中央処理装置と、主記憶装置とを具備してなる情報処理装置に適用される省電力移行制御方法であって、前記中央処理装置が前記省電力モード移行命令をフェッチしたことを検出する検出工程と、前記中央処理装置が前記主記憶装置の通常動作モードから省電力モードへの切り替えを許可した後、前記中央処理装置が前記省電力モード移行命令をフェッチしたことを前記検出工程で検出した場合に、前記主記憶装置を省電力モードに移行させる移行制御工程とを有することを特徴とする。
【手続補正７】
【補正対象書類名】明細書
【補正対象項目名】００１４
【補正方法】変更
【補正の内容】
【００１４】
また、本発明は、省電力モード移行命令の実行により通常動作モードから省電力モードへ移行する中央処理装置と、主記憶装置とを具備してなる情報処理装置であって、前記主記憶装置を省電力モードへ移行するまでの時間を設定する時間設定手段と、前記設定時間後に前記主記憶装置を省電力モードに移行するように制御する移行制御手段とを有し、前記中央処理装置は、前記移行制御手段により前記主記憶装置が省電力モードに移行される前に、前記省電力モード移行命令を実行することを特徴とする。
【手続補正８】
【補正対象書類名】明細書
【補正対象項目名】００１５
【補正方法】変更
【補正の内容】
【００１５】
また、本発明は、省電力モード移行命令の実行により通常動作モードから省電力モードへ移行する中央処理装置と、主記憶装置とを具備してなる情報処理装置に適用される省電力移行制御方法であって、前記主記憶装置を省電力モードへ移行するまでの時間を設定する時間設定工程と、前記設定時間後に前記主記憶装置を省電力モードに移行するように制御する移行制御工程と、前記主記憶装置を前記移行制御工程で省電力モードに移行する前に、前記中央処理装置が前記省電力モード移行命令を実行する省電力モード移行命令実行工程とを有することを特徴とする。
【手続補正９】
【補正対象書類名】明細書
【補正対象項目名】００１６
【補正方法】変更
【補正の内容】
【００１６】
また、本発明は、省電力モード移行命令の実行により通常動作モードから省電力モードへ移行する中央処理装置と、主記憶装置とを具備してなる情報処理装置であって、前記中央処理装置が前記主記憶装置を通常動作モードから省電力モードに切り替えることを許可するための設定を行う設定手段と、前記設定手段により前記主記憶装置を通常動作モードから省電力モードへ切り替えることが許可された後に前記中央処理装置が省電力モードに移行した場合、前記主記憶装置を省電力モードに移行するように制御する移行制御手段とを有することを特徴とする。
【手続補正１０】
【補正対象書類名】明細書
【補正対象項目名】００１７
【補正方法】変更
【補正の内容】
【００１７】
また、本発明は、省電力モード移行命令の実行により通常動作モードから省電力モードへ移行する中央処理装置と、主記憶装置とを具備してなる情報処理装置に適用される省電力移行制御方法であって、前記中央処理装置が前記主記憶装置を通常動作モードから省電力モードに切り替えることを許可するための設定を行う設定工程と、前記設定工程により前記主記憶装置を通常動作モードから省電力モードへ切り替えることが許可された後に前記中央処理装置が省電力モードに移行した場合、前記主記憶装置を省電力モードに移行するように制御する移行制御工程とを有することを特徴とする。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００６６
【補正方法】変更
【補正の内容】
【００６６】
最初に、ＣＰＵ６１がＣＰＵ自身とＳＤＲＡＭ６３の両方を省電力モードに移行させる手順を説明する。先ず、ＣＰＵ６１は、ＳＤＲＡＭコントローラ６５のＳＤＲＡＭカウンタレジスタ７１２にアサインされたアドレスに対して書き込み転送を発生することにより、ＳＤＲＡＭカウンタレジスタ７１２にカウントダウン開始から省電力モード移行までの時間を設定する。次に、ＣＰＵ６１は、ＳＤＲＡＭコントロールレジスタ７１１にアサインされたアドレスに対して書き込み転送を発生することにより、ＳＤＲＡＭコントロールレジスタ７１１の最下位ビット（Ｂｉｔ０）を“１”に設定する。これにより、ＳＤＲＡＭカウンタ７１は、ＳＤＲＡＭカウンタレジスタ７１２の内容をＳＤＲＡＭカウンタワークレジスタ７１３に転送し、そのカウントダウンを開始する。
【手続補正３４】
【補正対象書類名】明細書
【補正対象項目名】００９６
【補正方法】変更
【補正の内容】
【００９６】
【発明の効果】
以上説明したように、本発明によれば、高価な専用メモリを装備することなく且つ複雑なソフトウェアの処理を必要とすることなく、中央処理装置を省電力モードへ移行する省電力モード移行命令のフェッチ時に、主記憶装置を正常に動作させることが可能となる。
【手続補正３５】
【補正対象書類名】明細書
【補正対象項目名】００９７
【補正方法】変更
【補正の内容】
【００９７】
また、主記憶装置が通常動作モードから省電力モードへ移行するまでの設定時間後の省電力モードへの移行指示を受けた場合、主記憶装置を前記設定時間後に省電力モードに移行するように制御することで、高価な専用メモリを装備することなく、省電力モードへの移行時の省電力モード移行の命令時に、主記憶装置を正常に動作させることが可能となる。また、ソフトウェアによる複雑な操作が不要である。
【手続補正３６】
【補正対象書類名】明細書
【補正対象項目名】００９８
【補正方法】変更
【補正の内容】
【００９８】
また、高価な専用メモリを装備することなく、中央処理装置を省電力モードへ移行する時に、主記憶装置を正常に動作させることが可能となる。また、ソフトウェアによる複雑な操作が不要である。